(57)【要約】  デバイスキックスタンドを記載する。少なくとも一部の実施では、キックスタンドはモバイルコンピュータ装置に回転可能に取り付けられている。キックスタンドは、コンピュータ装置の様々な向きへのサポートを提供するために様々な位置に回転させることができる。少なくとも一部の実施では、キックスタンドをモバイルコンピュータ装置に取り付けるのにヒンジが用いられる。一例のヒンジは、キックスタンドを様々な既定の位置に設置するのを可能にする既定のヒンジ停止位置を用いる。他の例のヒンジは、キックスタンドの端部に圧力を加えて、キックスタンドに安定性及び振動減衰を提供する。
2015518190.tif 000002
【特許請求の範囲】
【請求項１】
タブレットとして構成されたコンピュータ装置の後部に回転可能に取り付けられるように構成されたキックスタンド；及び
前記キックスタンドの一部を前記コンピュータ装置の後部に取り付ける少なくとも１つのヒンジ；
を含む
装置であって、
前記ヒンジは、前記キックスタンドが閉位置にある場合は、前記キックスタンドが前記コンピュータ装置の輪郭と一致するように、前記ヒンジの外側に回転中心を含む、装置。
【請求項２】
前記ヒンジは、前記キックスタンドが１つ以上の既定の位置で開いて前記コンピュータ装置を支持できるようにする１つ以上の停止位置を含む、請求項１に記載の装置。
【請求項３】
前記回転中心は、前記キックスタンド及び前記コンピュータ装置の隣接する端部の間のシームと実質的に一致する、請求項１に記載の装置。
【請求項４】
前記コンピュータ装置は、前記コンピュータ装置に対して複数の向きで設置可能な入力装置に物理的に取り付けられるように構成され、前記入力装置を介して前記コンピュータ装置に入力を提供することができるように、前記キックスタンドは、前記コンピュータ装置をタイピング向きで支持するように構成されている、請求項１に記載の装置。
【請求項５】
前記キックスタンド及び前記コンピュータ装置に取り付けられ、前記キックスタンドの動作の間に前記キックスタンドの端部を安定させるように構成された他のヒンジをさらに含む、請求項１に記載の装置。
【請求項６】
コンピュータ装置であって：
入力装置に通信可能に連結されるように構成された筐体；
前記筐体内に配置され、１つ以上の動作を行うために少なくとも部分的にハードウェアによって実施される１つ以上のモジュール；及び
前記筐体の後面に動作可能に取り付けられ、前記コンピュータ装置の複数の向きを支持するために複数の開位置で開くように構成されたキックスタンド；
を含む
コンピュータ装置。
【請求項７】
前記キックスタンドは、少なくとも１つのヒンジを介して前記筐体の後面に取り付けられ、該少なくとも１つのヒンジは外側に回転中心を有することにより、該ヒンジが前記複数の開位置のうちの１つ以上に回転された場合に、前記キックスタンド及び前記筐体の後面の隣接する端部の間のシームが実質的に維持される、請求項６に記載のコンピュータ装置。
【請求項８】
前記キックスタンドは、少なくとも１つの他のヒンジを介して前記筐体の後面に取り付けられ、該少なくとも１つの他のヒンジは、前記キックスタンドの端部に圧力を加えて、前記キックスタンドの回転の間に該端部を安定させる、請求項７に記載のコンピュータ装置。
【請求項９】
前記キックスタンドが閉位置にある場合に、前記コンピュータ装置の後面に対して前記キックスタンドの端部を安定させる磁気安定化機構をさらに含む、請求項６に記載のコンピュータ装置。
【請求項１０】
前記キックスタンドは閉位置にある場合に、前記コンピュータ装置の後面の複数の外縁に合うように構成されている、請求項６に記載のコンピュータ装置。
【発明の詳細な説明】
【技術分野】
【０００１】
本発明はデバイスキックスタンドに関する。
【背景技術】
【０００２】
モバイルコンピュータ装置は、モバイル環境でユーザーに利用可能な機能を高めるために開発されてきた。例えば、ユーザーは、携帯電話、タブレット型コンピュータ又は他のモバイルコンピュータ装置を操作して、電子メールの確認、ネットサーフィン、文書の作成、アプリケーションの操作等を行い得る。
【０００３】
しかしながら、モバイルコンピュータ装置は携帯可能（mobile）に構成されているため、それらの装置は手で把持して使用されるように設計されているのが一般的である。モバイル装置を他の用途（例えば、テーブル又は他の表面の上で）に適合させる一般的な方法はぎこちない傾向にあり、モバイル装置に関連するモバイル的な美しさ（mobile  aesthetic）が損なわれる。
【発明の概要】
【課題を解決するための手段】
【０００４】
この概要は、下記の詳細な説明でさらに説明する概念を簡略化して紹介するものである。この概要は、クレームの主題の主要な特徴又は不可欠な特徴を特定することを意図したものでもなければ、クレームの主題の範囲を判断する際にそれを支援するのに用いることを意図したものでもない。
【０００５】
デバイスキックスタンドを記載する。少なくとも一部の実施では、キックスタンドはモバイルコンピュータ装置に回転可能に取り付けられている。キックスタンドは、コンピュータ装置の様々な向きへのサポートを提供するために様々な位置に回転させることができる。例えば、キックスタンドは、関連する入力装置を介して入力を提供できるように、コンピュータ装置をタイピング向きで支持するように配置することができる。他の例としては、例えば縦表示向きでコンピュータ装置の観察及び／又は操作を行うことができるようにキックスタンドを配置することができる。
【０００６】
少なくとも一部の実施では、キックスタンドをモバイルコンピュータ装置に取り付けるのにヒンジが使用される。一例のヒンジは、キックスタンドを様々な既定の位置に設置できるようにする既定のヒンジ停止位置を用いる。また、一例のヒンジは、キックスタンド及びコンピュータ装置の隣接する端部の間のシームと一致する回転中心を含む。そのため、キックスタンドは、閉位置にある場合にコンピュータ装置の輪郭に一致することができ、キックスタンドが開いている場合にシームを維持することができる。他の例のヒンジは、キックスタンドの端部に圧力を加えて、キックスタンドに安定性及び振動減衰を提供する。本明細書では例示のヒンジを詳細に示すが、請求項記載の実施形態に従って、キックスタンドをコンピュータ装置に取り付けるのに様々な異なる技術を用いることができる。
【図面の簡単な説明】
【０００７】
添付の図面を参照しながら、詳細な説明を記載する。図面中の参照符号の最も左の桁は、その参照符号が最初に使われる図面を特定する。下記の詳細な説明及び図面で、異なる事例において同一の参照符号が使用されている場合、それは同様の又は同一のアイテムを示し得る。図面に描かれている実体物は、１つ以上の実体物を示し得る。そのため、下記の説明では互換的に該実体物の単数形又は複数形に言及し得る。
【図１】図１は、１つ以上の実施形態に係る、本明細書に記載の技術を使用可能な例示の実施における環境の図である。
【図２】図２は、１つ以上の実施形態に係る、フレキシブルヒンジをより詳細に示す図１の入力装置の例示の実施を図示する。
【図３】図３は、１つ以上の実施形態に係る、コンピュータ装置の表示装置を覆う、コンピュータ装置に対する入力装置の例示の向きを図示する。
【図４】図４は、１つ以上の実施形態に係る、タイピング向きを取った、コンピュータ装置に対する入力装置の例示の向きを図示する。
【図５】図５は、１つ以上の実施形態に係る、コンピュータ装置１０２の後面筐体を覆い且つコンピュータ装置の表示装置を露出する、コンピュータ装置に対する入力装置の例示の向きを図示する。
【図６】図６は、１つ以上の実施形態に係る、コンピュータ装置の後面を覆うように構成され、この事例ではコンピュータ装置のキックスタンドをサポートするのに使用される部位を含む、入力装置の例示の向きを示す。
【図７】図７は、１つ以上の実施形態に係る、図６の部位を含む入力装置がコンピュータ装置の前面及び後面の双方を覆うのに用いられる例示の向きを図示する。
【図８】図８は、１つ以上の実施形態に係る、キックスタンドを有するコンピュータ装置の例示の向きを図示する。
【図９】図９は、１つ以上の実施形態に係る、キックスタンドを有するコンピュータ装置の例示の向きを図示する。
【図１０】図１０は、１つ以上の実施形態に係る、キックスタンドを有するコンピュータ装置の例示の向きを図示する。
【図１１】図１１は、１つ以上の実施形態に係る、キックスタンドを有するコンピュータ装置の例示の向きの背面図を図示する。
【図１２】図１２は、１つ以上の実施形態に係る、キックスタンドの例示の内面を図示する。
【図１３】図１３は、１つ以上の実施形態に係る、キックスタンドを有するコンピュータ装置の例示の分解図を図示する。
【図１４】図１４は、１つ以上の実施形態に係る、コンピュータ装置の部分断面図を図示する。
【図１５】図１５は、１つ以上の実施形態に係る、キックスタンドの動きを示すコンピュータ装置の部分断面図を図示する。
【図１６】図１６は、１つ以上の実施形態に係る、センターヒンジを示すコンピュータ装置の部分断面図を図示する。
【図１７】図１７は、本明細書に記載の技術の実施形態を実施するために、図１〜図１６を参照して説明するコンピュータ装置のうちの任意のものとして実施可能な例示の装置の様々な構成要素を含む例示のシステムを示す。
【発明を実施するための形態】
【０００８】
概要
様々な機能を提供するために、様々な異なる装置がモバイルコンピュータ装置に物理的に取り付けられ得る。例えば、ある装置は、コンピュータ装置の表示装置を危害から守るために、少なくともその表示装置用のカバーを提供するように構成され得る。モバイルコンピュータ装置に入力を提供する入力装置（例えば、トラックパッドを有するキーボード）等の他の装置も、モバイルコンピュータ装置に物理的に取り付けられ得る。また、例えばカバーと入力装置との組み合わせを提供するために、上記の装置の機能が組み合わされる場合もある。
【０００９】
デバイスキックスタンドを記載する。少なくとも一部の実施では、キックスタンドはモバイルコンピュータ装置に回転可能に取り付けられている。キックスタンドは、コンピュータ装置の様々な向きへのサポートを提供するために様々な位置に回転させることができる。例えば、キックスタンドは、関連する入力装置を介して入力を提供できるように、コンピュータ装置をタイピング向きで支持するように配置することができる。他の例としては、例えば縦表示向きでコンピュータ装置の観察及び／又は操作を行うことができるようにキックスタンドを配置することができる。
【００１０】
少なくとも一部の実施では、キックスタンドをモバイルコンピュータ装置に取り付けるのにヒンジが使用される。一例のヒンジは、キックスタンドを様々な既定の位置で設置できるようにする既定のヒンジ停止位置を用いる。また、一例のヒンジは、キックスタンド及びコンピュータ装置の隣接する端部の間のシームと一致する回転中心を含む。そのため、キックスタンドは、閉位置にある場合にコンピュータ装置の輪郭に一致することができ、キックスタンドが開いている場合にシームを維持することができる。他の例のヒンジは、キックスタンドの端部に圧力を加えて、キックスタンドに安定性及び振動減衰を提供する。本明細書では例示のヒンジを詳細に示すが、請求項記載の実施形態に従って、キックスタンドをコンピュータ装置に取り付けるのに様々な異なる技術を用いることができる。
【００１１】
下記の説明では、先ず本明細書に記載の技術が使用され得る例示的環境を説明する。本明細書で説明する実施形態は該例示的環境に限定されず、該例示的環境も本明細書で説明する実施形態に限定されない。次に、１つ以上の実施形態に従って、例示の装置の向きを説明する。その後に、１つ以上の実施形態に従って、例示のキックスタンドを説明する。次いで、１つ以上の実施形態に従って、キックスタンドを取り付けるための例示のヒンジを説明する。最後に、本明細書に記載の様々な技術を実施し得る例示のシステム及び装置を説明する。また、本明細書では入力装置を説明するが、カバー等の入力機能を含まない他の装置も考えられる。
【００１２】
例示的環境
図１は、本明細書に記載の技術を利用可能な、例示の実施形態における環境１００の図である。図示の環境１００は、フレキシブルヒンジ１０６を介して入力装置１０４に物理的に且つ通信可能に連結されたコンピュータ装置１０２の例を含む。コンピュータ装置１０２は様々な形で構成され得る。例えば、コンピュータ装置１０２は、携帯電話、図示のタブレット型コンピュータ等のモバイル用途用に構成され得る。そのため、コンピュータ装置１０２は、メモリ及びプロセッサ資源が十分なフルリソースデバイスからメモリ及び／又はプロセッサ資源が限られた低リソースデバイスまで多岐に亘り得る。コンピュータ装置１０２は、コンピュータ装置１０２に１つ以上の動作を行わせるソフトウェアにも関連し得る。
【００１３】
例えば、コンピュータ装置１０２は入出力モジュール１０８を含むものとして図示されている。入出力モジュール１０８は、コンピュータ装置１０２の入力の処理及び出力のレンダリングに関する機能を表す。入力装置１０４のキーに対応する機能、ジェスチャーを特定し、入力装置１０４を介して認識され得るそのジェスチャーに対応する動作を行わせる、表示装置１１０により表示されるバーチャールキーボードのキーに対応する機能及び／又は表示装置１１０のタッチスクリーン機能等に関連する入力等の様々な入力が入出力モジュール１０８によって処理され得る。そのため、入出力モジュール１０８は、キープレス、ジェスチャー等を含む入力の種類間の差を認識及び利用することで、様々な入力技術をサポートし得る。
【００１４】
図示の例では、入力装置１０４は、ＱＷＥＲＴＹ配列のキー（他のキー配列も考えられる）及びトラックパッドを有するキーボードを含む入力部を有するように構成されている。また、ゲームコントローラ、楽器を模した構成等の他の非従来の構成も考えられる。そのため、入力装置１０４及び入力装置１０４に含まれるキーは、様々な機能をサポートするために様々な構成を取り得る。
【００１５】
前述したように、入力装置１０４は、本例においてはフレキシブルヒンジ１０６を用いて物理的に且つ通信可能にコンピュータ装置１０２に連結されている。フレキシブルヒンジ１０６は、該ヒンジによってサポートされる回転運動が、ピンによってサポートされる機械的回転（mechanical  rotation）（このような実施形態も考えらえる）とは対照的に、ヒンジを構成する材料を屈曲させる（例えば曲げる）ことで得られるという意味で柔軟性を有する。また、このフレキシブル回転（flexible  rotation）は、１つ以上の方向（例えば図の垂直方向）における動きをサポートするが、他の方向における動き、例えばコンピュータ装置１０２に対する入力装置１０４の側方への動きを制限するように構成され得る。これを、電力状態、アプリケーション状態等の変更に使用されるセンサの配列等、コンピュータ装置１０２に対する入力装置１０４の安定した整列（consistent  alignment）をサポートするのに用いてもよい。
【００１６】
フレキシブルヒンジ１０６は、例えば１つ以上の生地（fabric）層を用いて形成され、入力装置１０４をコンピュータ装置１０２に又はその反対に通信可能に連結するフレキシブル配線として形成された導体を含み得る。この入力装置１０４とコンピュータ装置１０２との通信は、例えば、キープレスの結果をコンピュータ装置１０２に伝達したり、コンピュータ装置から電力を受け取ったり、認証を行ったり、補助電力をコンピュータ装置１０２に提供したりするのに用いられ得る。フレキシブルヒンジ１０６は様々な形で構成され得る。下記の図に関連付けてこの点をさらに説明する。
【００１７】
図２は、フレキシブルヒンジ１０６をより詳細に示す、図１の入力装置１０４の例示の実施形態２００を図示する。この例では、入力装置１０４とコンピュータ装置１０２とを通信可能に且つ物理的に接続するように構成された入力装置の接続部２０２が図示されている。図示の接続部２０２は、コンピュータ装置１０２の筐体の溝内で受容されるように構成された高さ及び断面を有するが、この構成は、その精神及び範囲から逸脱することなく変更される場合もある。
【００１８】
接続部２０２は、フレキシブルヒンジ１０６を用いることで、キーを含む入力装置１０４の一部にフレキシブルに接続されている。そのため、接続部２０２がコンピュータ装置に物理的に接続されると、接続部２０２及びフレキシブルヒンジ１０６の組み合わせによって、本のヒンジに似た、コンピュータ装置１０２に対する入力装置１０４の動きがサポートされる。
【００１９】
この例では、接続部２０２は、磁気連結装置２０４、２０６、機械連結突起部２０８、２１０及び通信接点２１２を含むものとして図示されている。磁気連結装置２０４、２０６は、１つ以上の磁石を用いて、コンピュータ装置１０２側の相補的な磁気連結装置に磁気的に連結するように構成されている。このように、磁力を用いることで入力装置１０４がコンピュータ装置１０２に物理的に固定され得る。
【００２０】
接続部２０２は、入力装置１０４とコンピュータ装置１０２との間で機械的な物理接続を形成するために、機械連結突起部２０８、２１０も含む。通信接点２１２は、図示するような装置間の通信可能な連結を形成するために、コンピュータ装置１０２の対応する通信接点に接触するように構成されている。
【００２１】
装置の例示的向き
フレキシブルヒンジ１０６の回転運動によって、コンピュータ装置１０２に対する入力装置１０４の様々な向き（orientation）がサポートされ得る。例えば、入力装置１０４がコンピュータ装置１０２の表示装置１１０にぴったり接して配置され、図３の例示の向き３００に示すようにカバーとして機能するような回転運動がフレキシブルヒンジ１０６によってサポートされ得る。そのため、入力装置１０４は、コンピュータ装置１０２の表示装置１１０を危害から守るように機能し得る。
【００２２】
図４の例示の向き４００に示すように、タイピング用の構成もサポートされ得る。この向きでは、入力装置１０４が表面にぴったり接して配置され、コンピュータ装置１０２は、表示装置１１０が観察できるように、例えば、コンピュータ装置１０２の後面に配置されたキックスタンド４０２を用いることで角度を持って配置されている。
【００２３】
図５の例示の向き５００では、入力装置１０４は、コンピュータ装置１０２の後面にぴったり接して、例えば、コンピュータ装置１０２の表示装置１１０の反対側に位置するコンピュータ装置１０２の筐体後面にぴったり接して配置されるように回転され得る。この例では、コンピュータ装置１０２に対する接続部２０２の向きにより、フレキシブルヒンジ１０６は接続部２０２を「包み込み（wrap  around）」、入力装置１０４がコンピュータ装置１０２の後面に位置することを可能にする。
【００２４】
この包み込みによって、コンピュータ装置１０２の後面の一部が露出されたままとなる。これを、様々な機能、例えば、この例示の向き５００では入力装置１０４によってコンピュータ装置１０２の後面の大半の部分が覆われているものの、コンピュータ装置１０２の後面に位置するカメラ５０２を使用できるようにするのに利用してもよい。コンピュータ装置１０２の１つの側を入力装置１０４で一度に覆う構成を上述したが、他の構成も考えられる。
【００２５】
図６の例示の向き６００では、入力装置１０４は、コンピュータ装置の後面を覆うように構成された部位６０２を含むものとして図示されている。この部位６０２も、フレキシブルヒンジ６０４を用いて接続部２０２に接続されている。
【００２６】
図６の例示の向き６００も、入力装置１０４がある面にぴったり接して設置され、コンピュータ装置１０２は、表示装置１１０を観察できるように角度を持って配置されるタイピング用の構成を図示している。この例では部位６０２と接触するようにコンピュータ装置１０２の後面に配置されたキックスタンド４０２を用いることでこの構成がサポートされている。
【００２７】
図７は、コンピュータ装置１０２の前面（例えば表示装置１１０）及び後面（例えば、筐体の表示装置とは反対側）の双方を覆うのに部位６０２を含む入力装置１０４が用いられる例示の向き７００を図示する。１つ以上の実施形態では、例えば、閉じた時に補助電力を提供するために、コンピュータ装置１０２及び／又は入力装置１０４の側面に沿って電気コネクタ及び他のコネクタも配置され得る。
【００２８】
当然ながら、様々な他の向きもサポートされる。例えば、コンピュータ装置１０２及び入力装置１０４は、図１に示すように双方がある面にぴったり接して設置される構成を取り得る。三脚配置（tripod  arrangement）、ミーティング用配置（meeting  arrangement）、プレゼンテーション用配置（presentation  arrangement）等の他の事例も考えられる。
【００２９】
キックスタンド
前述のキックスタンドは、コンピュータ装置１０２のための様々な異なる向きを可能にするために用いることができる。例えば、様々な実施形態に係る次のようなキックスタンドの実施を考えてみる。
【００３０】
図８は向き３００を示し、閉位置にあるキックスタンド４０２を含む。閉位置にある場合、キックスタンド４０２は、キックスタンド４０２がコンピュータ装置１０２の表面の輪郭と一致するようにコンピュータ装置１０２の後面８０２の一部を形成する。例えば、キックスタンド４０２が閉位置にある場合、キックスタンド４０２はコンピュータ装置１０２と一体化し、後面８０２が形成する面から突出しない。
【００３１】
図９は、キックスタンド４０２を、コンピュータ装置１０２の後面８０２から離れる方に回転させて位置９００に動かすことができることを示す。例えば、キックスタンド４０２は、ヒンジアセンブリを介して、シーム（seam）９０２に沿ってコンピュータ装置１０２に回転可能に取り付けることができる。そのようなヒンジアセンブリの例を後で詳述する。
【００３２】
少なくとも一部の実施では、位置９００はヒンジ４０２のための既定の位置に対応する。例えば、ユーザーが、後面８０２から離れるようにキックスタンド４０２に圧力を加えると、キックスタンド４０２は位置９００に素早く移動することができる。下記で詳述するように、キックスタンド４０２をコンピュータ装置１０２に取り付けるのに使用するヒンジアセンブリは、キックスタンド４０２のための既定の開位置を提供するのにスプリング圧及び窪みの設定（dent  settings）を利用することができる。この例では、位置９００は、コンピュータ装置１０２の後面とキックスタンド４０２との間の角度９０４に関連する。例えば、角度９０４の範囲は、２０度（２０°）〜３０度（３０°）とすることができる。しかしながら、任意の好適な角度範囲を用いてもよい。
【００３３】
キックスタンド４０２が位置９００にある状態では、コンピュータ装置１０２を入力装置１０４から離れる方に回転させて、例えば図４の向き４００に示すように、キックスタンド４０２に支持させることができる。そのため、位置９００では、表示装置１１０を観察でき且つ入力装置１０４を介してコンピュータ装置１０２に入力を提供できる。
【００３４】
図１０は、キックスタンド４０２を、コンピュータ装置１０２の後面８０２から離れる方に回転させて位置１０００に動かすことができることを示す。例えば、キックスタンド４０２は位置９００をさらに通り越して位置１０００に回転させることができる。
【００３５】
少なくとも一部の実施では、位置１０００はヒンジ４０２のための既定の位置に対応する。例えば、ユーザーが、後面８０２から離れるようにキックスタンド４０２に圧力を加えると、キックスタンド４０２は位置１０００に素早く移動することができる。この例では、位置１０００は、コンピュータ装置１０２の後面とキックスタンド４０２との間の角度１００２に関連する。例えば、角度１００２の範囲は、６５度（２０°）〜７５度（７５°）とすることができる。しかしながら、任意の好適な角度範囲を用いてもよい。また、位置１０００に回転させる間、シーム９０２（例えばシームの幅）を維持することができる。
【００３６】
キックスタンド４０２が位置１０００にある状態では、コンピュータ装置１０２を横向きに回転させて（例えば、縦表示（portrait  viewing）位置に）、キックスタンド４０２を用いて支持させることができる。例えば、図１１に示す向き１１００を考えてみる。
【００３７】
図１１は、向き１１００にあるコンピュータ装置１０２の背面図を図示し、コンピュータ装置１０２が縦表示位置に、例えば図１に示す向きに対して９０度（９０°）回転されていることを示す。また、キックスタンド４０２は、コンピュータ装置１０２が後方に倒れ、表面１１０２の上でキックスタンド４０２によって支持されるように、位置１０００に位置している。ここでは図示していないが、コンピュータ装置１０２を向き１１００にセットすることによって、表示装置１１０の表示向きを縦表示に回転させることができる。
【００３８】
図１１では、入力装置１０４がない状態でコンピュータ装置１０２を図示している。そのため、少なくとも一部の実施形態では、コンピュータ装置１０２が入力装置１０４から独立した機能を有するように、入力装置１０４をコンピュータ装置１０２から分離することができる。例えば、フレキシブルヒンジ１０６は、磁力により入力装置１０４をコンピュータ装置１０２に取り付ける磁気取り付け機構を用いることができる。そのため、ユーザーは、コンピュータ装置１０２及び入力装置１０４を把持し、それらの間の磁力を解消してその２つを引き離すことができる。
【００３９】
入力装置１０４から分離されると、コンピュータ装置１０２は様々な機能を提供することができる。例えば、ユーザーは、コンピュータ装置１０２を用いて映画及び／又はストリーミングコンテンツ等のコンテンツを観ることができる。また、ユーザーは表示装置１１０のタッチスクリーン機能を操作することができる。そのため、キックスタンド４０２を位置１０００にセットすることによって、ユーザーはコンピュータ装置を縦向きにセットし、そのような向きでコンピュータ装置の観察及び／又は操作を行うことができる。
【００４０】
図１１にさらに示すように、コンピュータ装置１０２は、後面８０２と前面１１０６との間に傾斜端部１１０４を含む。傾斜端部１１０４は、後面８０２の幅が前面１１０６の幅よりも狭くなるような傾斜を有する。キックスタンド４０２は後面８０２に一体化され、後面８０２と実質的に同じ幅を有する。そのため、キックスタンド４０２の幅は前面１１０６の幅よりも狭い。
【００４１】
従って、コンピュータ装置が向き１１００に位置し、キックスタンドが位置１０００にセットされている場合、コンピュータ装置１０２は前面１１０６から離れる方に倒れて、キックスタンド４０２の角１１０８に支えられる。表面１１０２上での角１１０８の滑りを低減し且つ表面１１０２とコンピュータ装置１０２との間での振動の伝達を低減するために、角１１０８にある種のクッション材を用いることができる。
【００４２】
図１２は、１つ以上の実施形態に係るキックスタンド４０２の内面１２００の図を示す。この例では、キックスタンド４０２をコンピュータ装置１０２の輪郭に照らして図示している。
【００４３】
内面１２００は、キックスタンド４０２が開位置にある場合に表面接触点として機能する表面接触部（surface  contacts）１２０２ａ及び１２０２ｂを含む。表面接触部１２０２ａ及び１２０２ｂは、滑り抵抗性を有する様々な種類の材料を用いて形成することができ、内面１２００の切り欠き部内に配置することができる。例えば、表面接触部１２０２ａ、１２０２ｂは弾性材料から形成することができる。また、表面接触部を弾性圧（elastic  pressure）により後面１２００の切り欠き部内で保持することができるように、実質的に蟻溝状にすることができる。あるいは又はそれに加えて、好適な接着剤により、表面接触部１２０２ａ、１２０２ｂを内面１２００に固定するができる。
【００４４】
キックスタンド４０２が開かれて表面上に置かれる場合に、該表面とキックスタンド４０２との間で表面接触部１２０２ａ、１２０２ｂが防振材として機能するように、表面接触部１２０２ａ、１２０２ｂがキックスタンド４０２の下端に配置されている。例えば、表面接触部１２０２ａ、１２０２ｂは、キックスタンド４０２と、それに隣り合う表面との間の振動の伝達を低減できる。また、表面接触部１２０２ａ、１２０２ｂは、表面上でのキックスタンド４０２の滑りを低減できる。例えば、表面接触部１２０２ａ、１２０２ｂは、様々な表面でスリップ抵抗を有するゴム引き材料から形成することができる。そのため、コンピュータ装置１０２がキックスタンド４０２によって支持されている場合（例えば、前述の向き４００で）、表面接触部１２０２ａ、１２０２ｂはコンピュータ装置１０２を安定化させるのに役立ち、且つキックスタンド４０２が表面上で振動することで生じ得るノイズを低減できる。
【００４５】
内面１２００には、内面１２００の下端に沿って設置され、磁界に引き付けられる材料（例えば強磁性の）から形成された安定板１２０４ａ及び安定板１２０４ｂがさらに含まれる。キックスタンド４０２が閉位置にある場合、安定板１２０４ａ、１２０４ｂはコンピュータ装置１０２側の隣接する端部に沿って設置された磁石に引き付けられる。そのため、閉位置にある場合、磁石によって安定板１２０４ａ、１２０４ｂに及ぼされる磁力は、キックスタンド４０２の下端をコンピュータ装置１０２に対して押し付けるのに役立つ。
【００４６】
内面１２００には、キックスタンド４０２をコンピュータ装置１０２に取り付けるのに用いられる周縁ヒンジ（peripheral  hinges）の取り付け場所として機能する周縁ヒンジマウント１２０６ａ、１２０６ｂがさらに含まれる。周縁ヒンジの例を下記で説明する。キックスタンド４０２とコンピュータ装置１０２との間で用いられるセンターヒンジの摺動可能な付属品として機能するセンターヒンジキー１２０８も含まれる。センターヒンジの例を下記で説明する。
【００４７】
ダンパー１２１０ａ及びダンパー１２１０ｂが内面１２００に（例えば好適な接着剤を用いて）固定され、キックスタンド４０２の振動を抑えるように機能する。例えば、ダンパー１２１０ａ、１２１０ｂは、キックスタンド４０２の振動を吸収及び／又は分散する材料から形成することができる。そのような材料の例としては、ウレタンフォーム、ゴム、ネオプレン、シリコーン等が挙げられる。そのため、ダンパー１２１０ａ、１２１０ｂは、例えばキックスタンド４０２が開閉された時にキックスタンド４０２の振動により生じるノイズを低減できる。
【００４８】
キックスタンド取り付け用ヒンジ
様々な実施形態に従って、コンピュータ装置へのキックスタンドの取り付けに、様々な異なるヒンジアセンブリを用いることができる。ヒンジ及びヒンジの構成の一例を以下で説明する。
【００４９】
図１３は、コンピュータ装置１０２及びキックスタンド４０２の分解背面図１３００を示す。背面図１３００には、キックスタンド４０２をコンピュータ装置１０２に取り付けるのに用いることができる周縁ヒンジ１３０２ａ及び１３０２ｂが含まれる。周縁ヒンジ１３０２ａ、１３０２ｂは、例えば好適な取り付け方法及び／又は装置によりコンピュータ装置１０２に内部的に設置されるように構成されている。
【００５０】
キックスタンド４０２は、図１２を参照しながら前で説明した周縁ヒンジマウント１２０６ａ、１２０６ｂを介して、周縁ヒンジ１３０２ａ、１３０２ｂの枢動部（pivot）に取り付けることができる。そのため、周縁ヒンジ１３０２ａ、１３０２ｂへの取り付けによって、キックスタンド４０２を、コンピュータ装置１０２を基準にして様々な位置の間で枢動させることができる。
【００５１】
センターヒンジ１３０４もさらに図示されている。センターヒンジ１３０４も、例えば好適な取り付け方法及び／又は装置によりコンピュータ装置１０２に内部的に設置されるように構成されている。キックスタンド４０２のセンターヒンジキー１２０８は、センターヒンジ１３０４内で係合可能である。以下で詳述するように、センターヒンジ１３０４は、様々な位置の間でキックスタンド４０２の動きを安定させるのに役立つ。
【００５２】
周縁ヒンジ１３０２ａ、１３０２ｂ及びセンターヒンジ１３０４は、キックスタンド４０２がそれらのヒンジ上で閉位置に回転された場合に、ヒンジが目に見えなくなり、且つキックスタンド４０２がコンピュータ装置１０２のシャーシと滑らかな輪郭を形成するように、コンピュータ装置１０２に設置される。例えば、図８を参照しながら説明した閉位置を参照のこと。
【００５３】
背面図１３００には、表面接触部１２０２ａ、１２０２ｂも図示されている。上述のように、表面接触部１２０２ａ、１２０２ｂは、キックスタンド４０２が開位置にあり且つ表面上に置かれている場合に、キックスタンド４０２及びコンピュータ装置１０２を安定させることができる。少なくとも一部の実施形態では、表面接触部１２０２ａ、１２０２ｂは、キックスタンド４０２が閉位置にある時は表面接触部１２０２ａ、１２０２ｂが外から見えないように、キックスタンド４０２の内面の溝内に位置している。
【００５４】
ユーザーがキックスタンド４０２を閉位置から開くのを支援するために、コンピュータ装置１０２の端部に切り欠き部１３０６が形成されている。例えば、切り欠き部１３０６が存在することで、ユーザーは閉じられたキックスタンド４０２の後ろ側に指を少し入れ、圧力を加えてキックスタンド４０２を開位置に回転させることができる。あるいは又はそれに加えて、キックスタンド４０２を開けるのを支援するために、キックスタンド４０２の端部に切り欠き部を形成することもできる。
【００５５】
図１４は、コンピュータ装置１０２の部分断面図を概して１４００に示す。部分断面図１４００において、キックスタンド４０２は、図９を参照しながら説明した位置９００等の開位置にある。部分断面図１４００は、周縁ヒンジ１３０２ａの断面を含む。少なくとも一部の実施では、周縁ヒンジ１３０２ｂは構成、寸法及び／又は動作の面で周縁ヒンジ１３０２ａと全く同じである。そのため、以下で説明する周縁ヒンジ１３０２ａの例示的側面は、周縁ヒンジ１３０２ｂにも同等に当てはまり得る。
【００５６】
周縁ヒンジ１３０２ａの一部として枢動部１４０２が含まれる。枢動部１４０２には、周縁ヒンジマウント１２０６ｂを介してキックスタンド４０２が取り付けられている。図示のように、ネジ１４０４を用いて周縁ヒンジマウント１２０６ｂを枢動部１４０２に取り付けることができる。しかしながら、請求項記載の実施形態に従って、多種多様な取り付け技術が用いられ得る。
【００５７】
例えば、少なくとも一部の実施形態では、周縁ヒンジマウント１２０６ｂを枢動部１４０２に取り付けるのに磁力が用いられ得る。周縁ヒンジマウント１２０６ｂ及び枢動部１４０２は、例えば、磁石、強磁性材料等の磁性材料を含むことができる。そのため、そのような実施形態では、周縁ヒンジマウント１２０６ｂが枢動部１４０２と並ぶと、磁力によって周縁ヒンジマウント１２０６ｂが枢動部１４０２に着脱可能に固定される。そのため、一部の実施形態では、コンピュータ装置１０２からキックスタンド４０２を取り外すことができるような形で、キックスタンド４０２をヒンジアセンブリ（例えば、周縁ヒンジ及びセンターヒンジ）に取り付けるのに磁石を用いることができる。これによって、例えばキックスタンド４０２を、色、図形、材料等が異なるキックスタンドに交換する等、コンピュータ装置１０２を様々な形でカスタマイズすることができる。
【００５８】
枢動部１４０２は、キックスタンド４０２を様々な位置に回転させることができるように、溝１４０６内をスライドすることで動くことができる。ヒンジスレッド（hinge  sled）１４０８は溝１４０６の下部を構成しており、スレッド枢動部１４１０上に枢動可能に設置されている。ヒンジスレッド１４０８は、枢動部１４０２に対して、上方向の圧力を溝１４０６の上部１４１２に向けてかけて、枢動部１４０２を適所で保持する。ヒンジスレッド１４０８からの圧力はバネ１４１４を通して提供される。バネ１４１４はヒンジスレッド１４０８の縁に上向きの圧力を加える。
【００５９】
理解に役立つように、周縁ヒンジ１３０２ａの他の部分と切り離した形で、枢動部１４０２及びヒンジスレッド１４０８を図１４の下部の図に示す。ヒンジスレッド１４０８は、ヒンジスレッド１４０８の表面に切り欠き部１４１６が含まれるように形成されている。また、切り欠き部１４１８は、ダンパー１４２０をヒンジスレッド１４０８上に設置することにより形成されている。ダンパー１４２０は、ゴム、合成ゴム、シリコーン、軟性プラスチック等の弾性特性を呈する材料から形成されている。切り欠き部１４１６、１４１８の間には、接触部１４２２及び接触部１４２４がヒンジスレッド１４０８の表面上に存在する。枢動部１４０２は、キックスタンド４０２のために様々な位置間を遷移する際に、接触部１４２２及び接触部１４２４に対応するヒンジスレッド１４０８の部分の上をスライド可能である。
【００６０】
少なくとも一部の実施では、切り欠き部１４１６、１４１８は枢動部１４０２のための既定の位置に対応する。例えば、枢動部１４０２が溝１４０６内をスライドすると、枢動部１４０２の突起部１４２６が切り欠き部１４１６、１４１８に嵌って、枢動部１４０２、ひいてはキックスタンド４０２が特定の位置で静止する。切り欠き部１４１６、１４１８は、例えばキックスタンド４０２のための既定の位置に対応する。
【００６１】
動作時、枢動部１４０２が溝１４０６内をスライドし、突起部１４２６が切り欠き部１４１６に嵌るまで接触部１４２４上をスライドするように、キックスタンド４０２を開位置から閉位置に操作することができる。そのため、切り欠き部１４１６はキックスタンド４０２のための閉位置に対応し得る。ユーザーは、枢動部１４０２が溝１４０６内をスライドし、突起部１４２６が切り欠き部１４１８に嵌るまで接触部１４２２上をスライドするように、キックスタンド４０２を閉位置から開くことができる。切り欠き部１４１８は、図９を参照しながら説明した位置９００等の開位置に対応し得る。
【００６２】
なお、この例では、接触部１４２２が突起部１４２６と接触する角度は、接触部１４２４の接触角度よりも浅い。そのため、閉位置から開位置に（例えば、切り欠き部１４１６から切り欠き部１４１８に）遷移する場合、突起部１４２６に対するヒンジスレッド１４０８からの抵抗は、開位置から閉位置に、例えば切り欠き部１４１８から切り欠き部１４１６に遷移する場合よりも少なくなり得る。少なくとも一部の実施形態では、ユーザーが用いる力が、キックスタンド４０２を閉じる時よりもキックスタンド４０２を開く時の方が少なくなるようにできる。これは、キックスタンド４０２が開位置にある場合に、例えばコンピュータ装置１０２を表面上で支持している場合に、キックスタンド４０２が誤って閉じてしまうのを防止するのにとりわけ有用である。
【００６３】
キックスタンド４０２は、突起部１４２２が位置１４２８に達するまで枢動部１４０２が溝１４０６内をスライドするように操作することもできる。位置１４２８は他の開位置、例えば図１０を参照しながら説明した位置１０００に対応し得る。
【００６４】
そのため、周縁ヒンジの様々な手段は、キックスタンド４０２を回転させて、様々な既定位置で止めることを可能にする戻り止め機構を提供することができる。
【００６５】
図１５は、周縁ヒンジの寸法及び構成によって、キックスタンド４０２を周縁ヒンジ上で様々な開位置に回転させることを可能にしつつ、閉位置にある場合はコンピュータ装置１０２の外郭と一体化させることができることを示す。例えば、周縁ヒンジ１３０２ａは、図９を参照して前に説明したシーム９０２と実質的に一致する回転中心を含む。その回転中心は、例えばシーム９０２の中心軸の１０ミリメートル（１０ｍｍ）の範囲内にあり得る。シーム９０２は、キックスタンド４０２の上面１５００及びコンピュータ装置１０２の後面８０２の隣接する端部の間の空間に対応する。シーム９０２、それ故に周縁ヒンジ１３０２ａの回転中心は、周縁ヒンジ１３０２ａそれ自体の外側にある。そのため、キックスタンド４０２が閉位置にある場合、上面１５００及び後面８０２は平らな平面を形成する。また、キックスタンド４０２を様々な開位置に回転させた場合、上面１５００及びキックスタンド４０２の隣接する端部は、シーム９０２がキックスタンド４０２の様々な位置の間で実質的に一定となるように隣接したままになる。例えば、キックスタンドを様々な位置に動かす間、シームの幅の変化を５ミリメートル（５ｍｍ）内（variation  of  five  millimeters）に維持することができる。
【００６６】
図１６は、コンピュータ装置１０２の部分断面図を概して１６００に図示する。部分断面図１６００は、キックスタンド４０２が閉位置にある状態のセンターヒンジ１３０４の断面を含む。センターヒンジ１３０４は、スライダー１６０２と、スライダー１６０２の後面に圧力を加えるバネ１６０４とを含む。部分断面図には、スライダー１６０２の溝内に位置するセンターヒンジキー１２０８がさらに図示されている。
【００６７】
動作時、キックスタンド４０２が様々な位置の間で動かされた場合、スライダー１６０２はセンターヒンジ１３０４内をスライドすることができる。例えば、図１６の下部に示す、閉位置からキックスタンド４０２を開く状況を考えてみる。キックスタンド４０２が開くと、センターヒンジキー１２０８はスライダー１６０２から離れる方に上方回転する。センターヒンジキー１２０８が回転することで、バネ１６０４からの圧力が、センターヒンジキー１２０８の動きと共に、スライダー１６０２を前方にスライドさせる。そのため、キックスタンドが開かれると、スライダー１６０２はセンターヒンジキー１２０８に圧力をかけ続ける。少なくとも一部の実施では、センターヒンジキー１２０８にかかるスライダー１６０２からの圧力は、キックスタンド４０２を中央端部で安定させ、様々な位置に動かす際にキックスタンド４０２が曲がる（warping）のを防止するのに役立つ。例えば、センターヒンジキー１２０８にかかるスライダー１６０２からの圧力は、キックスタンド４０２が動く間にシーム９０２が実質的に一定になるように、上面１５００及びキックスタンド４０２の隣接する端部を隣接した状態で維持するのに役立つ。上記圧力によって、例えばキックスタンド４０２の動作の間に、振動や、キックスタンド４０２の振動に関するノイズも低減される。
【００６８】
なお、前で説明した装置の例示の向き、キックスタンドの位置、ヒンジの位置、ヒンジの停止位置等は一例として示したものである。そのため、本明細書では具体的な言及がなかった多種多様な他の装置の向き、キックスタンドの位置、ヒンジの位置及びヒンジの停止位置が、クレームされる実施形態の精神及び範囲内で実施され得る。例えば、コンピュータ装置にキックスタンドを取り付けるのに用いる取り付け機構（例えば、上述の周縁ヒンジ）は、コンピュータ装置の様々な向きをサポートするため、キックスタンドを様々な位置で開くことができるようにする任意数及び／又は構成の好適な停止位置を含むことができる。また、例示のヒンジは、クレームされる実施形態に従ってキックスタンド及び／又はコンピュータ装置の任意の好適な位置及び／又は部分に取り付けることができる。
【００６９】
例示のシステム及び装置
図１７は、本明細書に記載の様々な技術を実施し得る１つ以上のコンピュータシステム及び／又はコンピュータ装置を表す例示のコンピュータ装置１７０２含む、例示のシステムを概して１７００に示す。コンピュータ装置１７０２は、例えば、ユーザーの１つ以上の手で把持されて持ち運ばれるような寸法を有し且つそのように形成された筐体を使用することでモバイル構成を取るように構成され得る。図示の例は、携帯電話、携帯ゲーム機及び音楽機器並びにタブレット型コンピュータを含むが、他の例も考えられる。
【００７０】
図に示す例示のコンピュータ装置１７０２は、処理システム１７０４と、１つ以上のコンピュータ可読媒体１７０６と、互いに通信可能に連結された１つ以上のＩ／Ｏインターフェース１７０８とを含む。図示していないが、コンピュータ装置１７０２は、様々な構成要素を互いに連結するシステムバス又は他のデータ／コマンド転送システムをさらに含み得る。システムバスは、メモリバス若しくはメモリコントローラ、周辺機器用バス、ユニバーサルシリアルバス及び／又は様々なバスアーキテクチャーのうちの任意のものを用いるプロセッサバス若しくはローカルバス等の様々なバス構造の１つ又はその組み合わせを含むことができる。制御線及びデータ線等の様々な他の例も考えられる。
【００７１】
処理システム１７０４は、ハードウェアを使用して１つ以上の動作を行う機能を表す。従って、処理システム１７０４は、プロセッサ、機能ブロック等として構成され得るハードウェア素子１７１０を含むものとして図示されている。これは、特定用途向け集積回路又は１つ以上の半導体を用いて形成された他の論理装置としてハードウェアでの実施を含み得る。ハードウェア素子１７１０は、それらが形成される材料又はそれらで用いられる処理機構によって制限されない。例えば、プロセッサは、半導体及び／又はトランジスタ（例えば、電子集積回路（ＩＣ））から構成され得る。そのような文脈では、プロセッサ実行可能命令は、電気的に実行可能な命令であり得る。
【００７２】
コンピュータ可読記憶媒体１７０６は、メモリ／ストレージ１７１２を含むものとして図示されている。メモリ／ストレージ１７１２は、１つ以上のコンピュータ可読媒体に関連するメモリ／ストレージ容量を表す。メモリ／ストレージコンポーネント１７１２は、揮発性媒体（ランダムアクセスメモリ（ＲＡＭ）等）及び／又は非揮発性媒体（リードオンリーメモリ（ＲＯＭ）、フラッシュメモリ、光ディスク、磁気ディスク等）を含み得る。メモリ／ストレージコンポーネント１７１２は、固定媒体（例えば、ＲＡＭ、ＲＯＭ、固定ハードドライブ等）に加えて、取り外し可能媒体（例えば、フラッシュメモリ、取り外し可能ハードドライブ、光ディスク等）を含み得る。コンピュータ可読媒体１７０６は、下記でさらに説明するように様々な他の形で構成され得る。
【００７３】
入出力インターフェース１７０８は、ユーザーがコマンド及び情報をコンピュータ装置１７０２に入力できるようにし、ユーザー及び／又は他のコンポーネント若しくは装置に様々な入出力装置を用いて情報を提示できるようにする機能を表す。入力装置の例としては、キーボード、カーソル制御装置（例えばマウス）、マイクロホン、スキャナ、タッチ機能（例えば、物理的接触を検出するように構成された容量センサ又は他のセンサ）、カメラ（例えば、接触を伴わないジェスチャーとして動きを認識するために、赤外周波数等の可視又は不可視周波数を用い得るもの）等が挙げられる。出力装置の例としては、表示装置（例えば、モニタ又はプロジェクタ）、スピーカー、プリンタ、ネットワークカード、接触反応装置等が挙げられる。そのため、コンピュータ装置１７０２は、ユーザーインタラクションをサポートするために様々な形で構成され得る。
【００７４】
また、コンピュータ装置１７０２は、コンピュータ装置１７０２から物理的に且つ通信的に取り外し可能な入力装置１７１４に通信可能に且つ物理的に連結されていると図示されている。このように、多種多様な機能をサポートするために、コンピュータ装置１７０２に多種多様な構成を有する様々な入力装置が連結され得る。この例では、入力装置１７１４は、感圧キー、機械式スイッチキー（mechanically  switched  key）等として構成され得る１つ以上のキー１７１６を含む。
【００７５】
また、入力装置１７１４は、様々な機能をサポートするように構成され得る１つ以上のモジュール１７１８を含むものとして図示されている。１つ以上のモジュール１７１８は、例えば、キー１７１６から受信したアナログ信号及び／又はデジタル信号を処理して、キーストロークが意図されたものだったかどうかの判断、入力が静止圧を表すかどうかの判断、入力装置１７１４をコンピュータ装置１７０２で操作するための認証のサポート等を行うように構成され得る。
【００７６】
本明細書では、様々な技術をソフトウェア、ハードウェア要素又はプログラムモジュールの一般的な文脈で説明し得る。通例、そのようなモジュールは、特定のタスクを行うか又は特定の抽象データ型を実施するルーチン、プログラム、オブジェクト、エレメント、コンポーネント、データ構造等を含む。本明細書で用いる「モジュール」、「機能」及び「コンポーネント」という用語は、ソフトウェア、ファームウェア、ハードウェア又はその組み合わせを一般的に表す。本明細書に記載の技術の特徴はプラットフォームに依存しない。これは、それらの技術が、様々なプロセッサを有する様々な商用のコンピュータプラットフォームで実施され得ることを意味する。
【００７７】
説明したモジュール及び技術の実施は、何らかのコンピュータ可読媒体に記憶され得るか又は該媒体上で伝送され得る。コンピュータ可読媒体は、コンピュータ装置１７０２によってアクセスされ得る様々な媒体を含み得る。一例として、コンピュータ可読媒体は限定されないが「コンピュータ可読記憶媒体」及び「コンピュータ可読信号媒体」を含み得る。
【００７８】
「コンピュータ可読記憶媒体」は、単なる信号伝送、搬送波又は信号自体とは対照的に、情報の永続的な及び／又は持続的な記憶を可能にする媒体及び／又は装置を意味し得る。そのため、コンピュータ可読記憶媒体は、非信号記憶媒体（non-signal  bearing  media）を意味する。コンピュータ可読記憶媒体は、コンピュータ可読命令、データ構造、プログラムモジュール、論理素子／回路又は他のデータ等の情報の記憶に適した方法又は技術により実施される揮発性及び非揮発性、取り外し可能及び取り外し不可能な媒体及び／又は記憶装置を含む。コンピュータ可読記憶媒体の例としては、限定されないが、ＲＡＭ、ＲＯＭ、ＥＥＰＲＯＭ、フラッシュメモリ又は他のメモリ技術、ＣＤ−ＲＯＭ、ＤＶＤ又は他の光ストレージ、ハードディスク、磁気カセット、磁気テープ、磁気ディスクストレージ若しくは他の磁気ストレージ装置又は他の記憶装置、有形媒体又は所望の情報の記憶に適し且つコンピュータによりアクセスされ得る製造物が挙げられる。
【００７９】
「コンピュータ可読信号媒体」とは、例えばネットワークを介して、コンピュータ装置１７０２のハードウェアに命令を伝送するように構成された信号記憶媒体（signal  bearing  media）を意味し得る。一般に、信号媒体は、搬送波、データ信号又は他の搬送機構等の変調データ信号においてコンピュータ可読命令、データ構造、プログラムモジュール、又は他のデータを具現化し得る。信号媒体は、任意の情報搬送媒体も含む。「変調データ信号」という用語は、その特徴の１つ以上が、信号内の情報が符号化されるように設定されたか又は変更された信号を意味する。一例として、通信媒体は限定されないが、有線ネットワーク又は直接有線接続等の有線媒体、音響、ＲＦ、赤外線及び他の無線媒体等の無線媒体を含む。
【００８０】
前述したように、ハードウェア素子１７１０及びコンピュータ可読媒体１７０６は、１つ以上の命令の実行等、本明細書に記載の技術の少なくともの一部の態様を実施するために、一部の実施形態で用いられるハードウェアの形体で実施されるモジュール、プログラマブルデバイスロジック（programmable  device  logic）及び／又は固定デバイスロジックを表す。ハードウェアは、集積回路又はオンチップシステム、特定用途向け集積回路（ＡＳＩＣ）、フィールドプログラマブルゲートアレイ（ＦＰＧＡ）、結合プログラマブル論理装置（ＣＰＬＤ）、及びシリコン又は他のハードウェアによる他の実施のコンポーネントを含み得る。この文脈では、命令によって定義されるプログラムタスク及び／又はハードウェアによって具現化されるロジックを実行する処理装置に加えて、例えば前述のコンピュータ可読記憶媒体といった実行のための命令を記憶するのに用いられるハードウェアとして動作し得る。
【００８１】
前述のものの組み合わせも、本明細書に記載の様々な技術を実施するのに使用され得る。従って、ソフトウェア、ハードウェア又は実行可能モジュールは、何らかのコンピュータ可読記憶媒体上で及び／又は１つ以上のハードウェア素子１７１０によって具現化される１つ以上の命令及び／又はロジックとして実施され得る。コンピュータ装置１７０２は、ソフトウェア及び／又はハードウェアモジュールに対応する特定の命令及び／又は機能を実施するように構成され得る。従って、コンピュータ装置１７０２によりソフトウェアとして実行可能なモジュールの実施は、少なくとも部分的にハードウェアにより、例えばコンピュータ可読記憶媒体及び／又は処理システム１７０４のハードウェア要素１７１０を用いることで達成され得る。命令及び／又は機能は、本明細書に記載の技術、モジュール及び例を実施するために１つ以上の製造物（例えば、１つ以上のコンピュータ装置１７０２及び／又は処理システム１７０４）により実行可能／動作可能であり得る。
【００８２】
結び
構造的特徴及び／又は方法的行為（methodological  acts）に特有の言葉で例示の実施を説明してきたが、添付の請求項で定義されている実施は、説明した特定の特徴又は行為に必ずしも限定されないことを理解すべきである。むしろ、特定の特徴及び行為は、請求項の特徴を実施する例示の形体として開示したものである。
【図１】
2015518190.tif 000003
【図２】
2015518190.tif 000004
【図３】
2015518190.tif 000005
【図４】
2015518190.tif 000006
【図５】
2015518190.tif 000007
【図６】
2015518190.tif 000008
【図７】
2015518190.tif 000009
【図８】
2015518190.tif 000010
【図９】
2015518190.tif 000011
【図１０】
2015518190.tif 000012
【図１１】
2015518190.tif 000013
【図１２】
2015518190.tif 000014
【図１３】
2015518190.tif 000015
【図１４】
2015518190.tif 000016
【図１５】
2015518190.tif 000017
【図１６】
2015518190.tif 000018
【図１７】
2015518190.tif 000019
【国際調査報告】
2015518190.tif 000020
2015518190.tif 000021